(57)【特許請求の範囲】
【請求項１】
両端に設けた端末部の間を複数の仕切片でそれぞれ区画し、各仕切片の上部中間に凹入部を設けて前記端末部と各仕切片を連結部で一体に設けて端子台を形成し、
各仕切片の内部に位置して前記連結部の外面にそれぞれ案内溝を設け、各仕切片の下部に設けた底面部の先端に掛止部片を形成すると共に、前記両仕切片の内壁下部にそれぞれ載置段部を設けてなり、
載置段部上に端子板を取り付けると共に、保持片に設けた孔にワッシャーおよび端子ねじを回転可能に取り付けたＬ型金具を前記案内溝内に上下動可能に収容し、コイルスプリングの上端を該Ｌ型金具の下面に掛止させると共に、下端を前記掛止部片に掛止させ、
前記連結部の上面および凹入部内に固定帯部を着脱可能に取り付け、前記案内溝からＬ型金具の脱出を防止することを特徴とする固定ねじアップ端子台。
【請求項２】
前記Ｌ型金具は、前記連結部の両外面の両端部分に設けた案内溝内に上下動可能に収容し、端子板の通孔に挿通させたコイルスプリングの下端を、前記端子台の底面部の各先端に設けた掛止部片の上面に存する凸部に掛止させると共に、該コイルスプリングの上端を前記Ｌ型金具の下面に掛止させ、該Ｌ型金具を上方に持ち上げてなることを特徴とする請求項１記載の固定ねじアップ端子台。
【請求項３】
前記端子板は、外側に端子ねじを螺合させるねじ孔および内側にコイルスプリングを挿通させる通孔をそれぞれ形成し、前記載置段部上に載置させると共に、該載置段部の一方の端部に設けた掛止段部に掛止させることを特徴とする請求項１記載に固定ねじアップ端子台。
【請求項４】
前記連結部の上面に一定間隔毎に設けた複数の凹窪と、上部に記名条片を着脱可能に装着させる固定帯部の下面にそれぞれ設けた複数の突起とを着脱可能に嵌合させ、該固定帯部の両端を端末部に設けた係合凹部に嵌合させることを特徴とする請求項１記載の固定ねじアップ端子台。
【請求項５】
前記端子台の端末部の外側上部にそれぞれ設けた立上部片の内部に、該端末部の平面と同一面をなす掛止穴を設け、前記端子台の上面に取り付ける弾力性を有した透明な端子カバーの両側端にそれぞれ設けた挿入片を前記掛止穴に取外可能に係合させることを特徴とする請求項１記載の固定ねじアップ端子台。
【発明の詳細な説明】
【０００１】
【発明の属する技術分野】
本発明は、端子台に係り、特に、端子台本体を一体成形すると共に、端子ねじ持ち上げた状態に保持する固定ねじアップ端子台に関する。
【０００２】
【従来技術】
従来、配線の接続に使用する端子台には、端子台本体を一体に成型した固定型端子台と分離して成型した連結型端子台とがあり、さらに、配線の接続作業を簡素化するために端子ねじを上方に持ち上げておくねじアップ式の端子台がある。しかし、ねじアップ式端子台には種々のものがあるが、それらは組立可能な連結型端子台が多く、固定型端子台であってねじアップ式端子台を見かけることは少なかった。
【０００３】
図１０に示すように、必要に応じて所望の極数に組み立てて連結端子台１を構成する絶縁材からなる端子台片２の後面に設けた仕切板片２ａに連結し、前側内部にそれぞれ空室３を設けて複数の支持部４を樹立して設けてある。中央に位置する支持部４の上部に設けた支持片３ａの上方に、水平方向の挿入溝６を設けて前記支持片と対をなす上部押片５を仕切板片２ａの前面に形成してある。
【０００４】
この挿入溝６内に横方向から端子板７を挿入して、仕切板片２の前面に設けた突出部（図示せず）に、端子板の中間部一側に設けた凹入部７ａを掛止させる。この端子板７の両端は、外側に位置する支持部４の上端に設けた係合部４ａに係合させて端子板７の三方を固定する。さらに、残りの一方は隣接させる他の端子台片の仕切板片（図示せず）の背面部分によって固定してある。また、前記仕切板片の正面に設けた空室３内にそれぞれコイルスプリング８を収容してある。
【０００５】
垂直金具９は、上下に長く形成してその上部を直角に折り曲げて設けた取付片９ａの中心に設けた孔に、ワッシャーを取り付けた締付ねじ９ｂを回転可能に装着し、該垂直金具の下端を直角方向に折り曲げてストッパー９ｃを形成する。このストッパーの下部には、コイルスプリング８の上端を掛止させるため任意形状をした掛止部９ｄを設けてある。このストッパー９ｃは端子板７の下側、即ち、空室３内に位置させてある。
【０００６】
【発明が解決しようとする課題】
ばねアップ式端子台は、垂直金具９をコイルスプリング８によって上方に持ち上げており、端子ねじ８ｂを螺合させるねじ孔７ｂを前記端子板７の両端にそれぞれ設けてある。ついで、配線を接続させるには、ドライバーの下端を端子ねじ９ａの頭部に合致して押し下げ、配線の端部に取り付ける圧着端子または配線端末を、端子板のねじ孔７ｂに螺合する端子ねじ９ｂにより締め付けて接続する。
【０００７】
しかしながら、分離可能な連結型のばねアップ式端子台は、ユーザーの希望する極数の端子台を容易に組み立てることはできるが、そのためには、端子板７の両側部分にねじ孔７ｂを設けるだけでなく、端子台片２の前記突出部（図示せず）に合致する凹入部７ａを設けるため、該垂直金具の形状が複雑になるという問題点があった。
【０００８】
即ち、垂直金具の下部に設けたストッパー９ｃは端子板５１の下側に位置し、該垂直金具９を持ち上げるコイルスプリング８は端子板７の下側に設けた空室内に収容してある。さらに、垂直金具の上部に設けた取付片９ａに装着する端子ねじ９ｂは、前記端子板との間に圧着端子などを挿入する空間を設けるため、該取付片９ａを持ち上げておく必要がある。このように長尺板９ｅを長く形成するため、端子台全体の高さが高くなってコンパクト化が困難になるという問題点があった。
【０００９】
そこで本発明は、一体成型した固定型端子台を使用して、従来の連結型端子台に比べて寸法が正確で安定し、その上、端子板の形状や端子ねじを取り付ける垂直金具であるＬ型金具の形状を簡素化し、Ｌ型金具やコイルスプリングを端子台の上方から挿入して組み立てて作業性を高めることを課題とする。
【００１０】
【課題を解決するための手段】
本発明は、上記課題を解決するために、両端に設けた端末部の間を複数の仕切片でそれぞれ区画し、各仕切片の上部中間に凹入部を設けて前記端末部と各仕切片を連結部で一体に設けて端子台を形成し、各仕切片の内部に位置して前記連結部の外面に案内溝を設け、各仕切片の下部に設けた各底面部の先端に掛止部片を形成すると共に、前記両仕切片の内壁下部にそれぞれ載置段部を設けてなり、載置段部上に端子板を取り付けると共に、保持片に設けた孔にワッシャーおよび端子ねじを回転可能に取り付けたＬ型金具を前記案内溝内に上下動可能に収容し、コイルスプリングの上端を該Ｌ型金具の下面に掛止させると共に、下端を前記掛止部片に掛止させ、該連結部の上面及び凹入部内に固定帯部を着脱可能に取り付け、前記案内溝からＬ型金具の脱出を防止することを特徴とする。
【００１１】
また、前記発明に係るＬ型金具は、前記連結部の両外面の両端部分に設けた案内溝内に上下動可能に収容し、端子板の通孔に挿通させたコイルスプリングの下端を、前記端子台の底面部の各先端に設けた掛止部片の上面に存する凸部に掛止させると共に、該コイルスプリングの上端を前記Ｌ型金具の下部に掛止させ、該Ｌ型金具を上方に持ち上げてなることを特徴とする。
【００１２】
さらに前記発明に係る端子板は、外側に端子ねじを螺合させるねじ孔及び内側にコイルスプリングを挿通させる通孔をそれぞれ設け、前記載置段部上に載置させると共に、該載置段部の一方の端部に設けた掛止段部に掛止させることを特徴とする。
【００１３】
前記発明に係る連結部の上面に、一定間隔毎に底面に設けた複数の凹窪と、上面に記名条片を着脱可能に装着させる固定帯部の下面にそれぞれ設けた複数の突起とを着脱可能に嵌合させ、該固定帯部の両端を端末部に設けた係合凹部に嵌合させることを特徴とする。
【００１４】
前記発明に係る端子台の端末部の外側上部にそれぞれ設けた立上部片の内部に、該端末部の平面と同一面をなす掛止穴を設け、前記端子台の上面に取り付ける弾力性を有した透明な端子カバーの両側端にそれぞれ設けた挿入片を前記掛止穴に取外可能に係合させることを特徴とする。
【００１５】
【発明の実施の形態】
本発明に係る実施の形態について説明すると、図１において、１１は絶縁材で一体成型された固定型の端子台で、規定の極数が決まっているので、大量生産の場合に自動化を容易に行うことができる。
【００１６】
端子台１１の両端にそれぞれ設けた端末部１２の中間外側に固定用の取付凹部１３を設け、該取付凹部の下部に設けたやや小径の掛止凹部１３ａに固定用のボルトの頭部を掛止して所定箇所に固定させる。この端末部１２の上部に設けた平坦部１５の外側端に位置して形成した立上部片１６にそれぞれ平坦部１５と同一面をなして横長で細巾の掛止穴１７を設けてある。
【００１７】
端子台１１の両端末部１２の間を複数の仕切片１９でそれぞれ区画し、該仕切片の中間上部にはそれぞれ下方に凹ませて凹入部２０を形成してある。この凹入部２０の底面と同じ平面であって、該凹入部の巾より狭い巾をした連結部２１で、前記両端末部１２および各仕切片１９と直交する方向に一体に連続して設けてある。また、連結部の両端に位置させて前記端末部１２の内端には係合凹部１２ａを形成してある。
【００１８】
図５，８において、隣接する両仕切片１９の内部に位置し、且つ、前記連結部２１の両外面に接近した位置に、それぞれ上下方向の凸条部２２を設け、連結部２１と凸条部２２との間にそれぞれ細巾の案内溝２３を上下方向に形成してある。この仕切片１９の下端からやや上方に位置した部分には、図５、６に示すように、平面状の底面部２５を端子台と一体に形成してある。底面部２５の上面部分で、且つ、隣接する両仕切片の間には、端子ねじ５５の螺子部５５ａの下端を収容する逃げ凹部２６を設けてあるが、この逃げ凹部は必ずしも必要ではない。
【００１９】
各仕切片１９の下部両内面には、端子板５１を取り付けるためのガイドを兼ねた載置段部２７をそれぞれ形成してある。この載置段部の一方の外方端部に段部を介してやや高くした掛止段部２８を設け、該掛止段部２８によって端子板５１の一方の端部を掛止して固定する。
【００２０】
各仕切片１９の内側に位置し、且つ、向かい合う底面部２５の中間部分に位置する開口部２９内に、コイルスプリング５０の下端を掛止させる細巾の掛止部片３１をそれぞれ向かい合わせに突出して設ける。さらに、該掛止部片の上面中央に、コイルスプリング５０の下端を掛止する凸部３２をそれぞれ形成してある。
【００２１】
３５は、前記端子台１１の上面中央部分に設けた各凹入部２０に係合させる長尺な固定帯部で、該固定帯部の上面には記名条片３４を嵌合させる嵌合部３６を設け、該嵌合部内に嵌合させた記名条片３４を取り外すための器具を挿入させる取外凹部３６ａを、嵌合部の側面に１又は複数形成してある。
【００２２】
固定帯部３１の底面には一定間隔ごとに複数の固定用の突起３８をそれぞれ設け、前記連結部２１の上面に前記突起と同じ間隔に設けた凹窪２１ａに嵌合させる。また、固定帯部３５の両端を前記端末部の内側中央に設けた係合凹部１２ａに嵌合させて該固定帯部を端子台１１に固定する。
【００２３】
４０は、端子台１１の上面に取り付ける弾力性を有する透明部材で形成した端子カバーで、両端部分には前記立上片１６に対して水平方向に設けた細巾の掛止穴１７にそれぞれ着脱可能に嵌合させる挿入片４１を設けてある。
【００２４】
図１、９において、４３は、端子ねじ５５を回転可能に保持するＬ型金具で、方形をした保持片４４の中央部に孔４５を設け、該保持片の一側に連結したやや細巾の連結片４６の先端には、両側を外方に突出させた案内片４７を形成してある。この案内片の下端部分を連結片に対して直角に折り曲げ、該案内片４７の両側部分は、前記端子台の案内溝２３内に上下動可能に収容させてある。この場合、コイルスプリング５０上端は、前記Ｌ型金具の連結片４６の下面に掛止して、常時上方に弾発している。
【００２５】
このＬ型金具４３は、保持片４４と案内片４７を同じ巾に形成してある。即ち、細長板材の略中間部分の両側を切り欠いて細巾の連結部４６を形成し、必要に応じて案内片４７の角部を面取りするだけの簡単な構造のため、部品製作がきわめて容易となり、材料を無駄にせず有効に利用できる。しかも、端子ねじを取り付ける保持片４４と案内片４７を連結する連結片４６は長さが短くてすむ構成である。このＬ型金具の高さは、案内片の高さですむので従来の巣直金具に比べて高さを低くでき、構造が簡単であるから部品製造を能率的に行うことができる。
【００２６】
５１は、各仕切片１９の内面にそれぞれ設けた載置段部２７に取り付ける端子板で、両端方向の外側にそれぞれねじ孔５２を設け、その内側に前記コイルスプリング５０を挿入させる通孔５３をそれぞれ設けてある。端子板５１の中央部分の上面には、前記連結部２１の内部に設けた空間部２１内に係合させて、該端子板を端子台の載置段部２７に掛止して固定させる補強リブ５４を設けてある。
【００２７】
次に、本発明に係る実施の形態の作用について説明すると、図１において、固定型の端子台１１の対をなす両仕切片１９の間に、該端子台の一方の側面から端子板５１を矢印方向に挿入させる（図１）。仕切片の載置段部２７の上面に沿って前進させると、前記連結部２１の下端を通過して該連結部の両側に位置する両仕切片内にそれぞれ配置させ、且つ、該端子板の一端は載置段部の外側に設けた掛止段部２８に掛止して固定する。この場合、図５に示すように、端子板の中間上面に設けた補強リブ５４は、前記連結部の空間部２１ｂ内に係合して該端子板５１を載置段部上に固定するものである。
【００２８】
この保持片４４の孔４５にワッシャーと端子ねじ５５を回転可能に取り付けたＬ型金具４３の案内部片４７を、連結部２１の外面両側に位置する各案内溝２３内に上方から単に落とし込んで挿入させる。この場合、Ｌ型金具の連結片４６あるいは保持片の下面に前記コイルスプリング５５の上端が掛止してＬ型金具４３を上方に持ち上げて、圧着端子を挿入させる空間Ｍを設けてある（図５）。
【００２９】
さらに、端子板５１の通孔５３内に、上方からコイルスプリング５０を挿入させると、該コイルスプリングの下端は前記底面部２５に設けた掛止片３１の凸部３２に掛止する。このようにコイルスプリング５０は、下方に位置する凸部３２と端子板の通孔５３とによって保持するため、単に上方から落とし込むだけで倒れることなく上下方向に樹立した状態を保ち、Ｌ型金具を上方に持ち上げておくことができる。
【００３０】
たとえば、配線の端部に取り付けた圧着端子を、図５に示した、端子台１１の間隔Ｍ内に横方向から略水平に挿入し、ドライバーの下部を端子ねじの頭部５５に合致させてＬ型金具をコイルスプリングの弾発力に抗して押し下げる。ついで、端子ねじの螺条部５５ａが端子板のねじ孔５３に合致したら、ドライバーを回転させて端子ねじを締め付けて圧着端子を接続させるものである。
【００３１】
端子ねじ５５を保持したＬ型金具４３は、案内溝２３内に収容されて、ワッシャーや端子ねじ５５を保持し、且つ、端子板のねじ孔上方に位置しているため、配線の接続作業の場合、ドライバーの下端を端子ねじの頭部に合致させて押し下げ、ドライバーを回転させればよいので接続作業が簡単である。このように、Ｌ型金具の保持片に設けた孔に端子ねじとワッシャーを装着させてあるので、接続作業の際に端子ねじやワッシャーがＬ型金具から外れて紛失する事故を防止し、能率的に行うことができる。
【００３２】
配線を端子台から取り外す場合は、端子ねじ５５を逆に回転させて弛めて螺条部をねじ孔から外せば、コイルスプリングの弾発力により、前記案内溝２３内に収容してある案内部片４７を案内としてＬ型金具を上昇させ、該端子板５１から圧着端子等を有した配線の端末を取り出すことができる。
【００３３】
端子台１１の上面には、記名条片３４を装着させた固定帯部３５の上面と該端子台の両端末部１２の上面とは同一面をなしているので、透明な端子カバー４０の両端に設けた挿入片４１を、端末部の外側上部に設けた掛止穴１７にそれぞれ掛止させ、各端子ねじの上方を覆うことで作業員の感電防止や導電材などの落下物による短絡事故、さらには、埃の堆積による出火などを防止できる。その上、固定帯部３５の嵌合部に記銘条片３４が緩く嵌合していても、その上面を端子カバーで覆って保持するため、記名条片が該嵌合部から外れて紛失するおそれがなく、端子台の汚れを防止することができる。
【００３４】
【発明の効果】
本発明は、一体成型した端子台の各仕切片の内部に端子ねじを装着させたＬ型金具の形状を簡素化し、該Ｌ型金具を上方から落とし込んで取り付けるので、部品製造を容易にすると共に、部品の取付作業を能率的に行うことができる。
Ｌ型金具および端子板の形状を簡素化して高さを低く構成したため、部品の製造コストを下げると共に、部品の組み立て作業及び配線の接続作業を短時間で行うことができるため、製造コストを下げることができる。
Ｌ型金具の高さを低くしたため、ねじアップ型の端子台であるにもかかわらず、端子台の高さを低くしてコンパクト化が図れる。
組立作業の際には、Ｌ型金具およびコイルスプリングを上方から挿入させるだけであるから組立作業を簡単に行うことができ、配線作業の際には、Ｌ型金具に端子ねじやワッシャーを装着させてあるので、その紛失を防止して作業性を高め、配線の接続作業を短時間に終了することができる。
【図面の簡単な説明】
【図１】本発明の実施の形態を示すもので、全体の主要部分を分解させた状態の斜視図である。
【図２】透明な端子カバーの一部省略した状態の端子台の平面図である。
【図３】端子台の底面図である。
【図４】端子台の側面図である。
【図５】図４のＡーＡ線方向の拡大断面図である。
【図６】端子台から端子板、Ｌ型金具、コイルスプリングなどを取り外した状態の図４のＡーＡ方向の拡大断面図である。
【図７】図６のＢ−Ｂ線方向の一部省略した断面図である。
【図８】図６のＣ−Ｃ線方向の一部省略した断面図である。
【図９】Ｌ型金具を展開させた状態の平面図である。
【図１０】従来の連結端子台のねじアップ端子台の要部を分解した斜視頭図である。
【符号の説明】
１１      端子台
１２      端末部
１９      仕切片
２０      凹入部
２１      連結部
２３      案内溝
２５      底面部
２７      載置段部
３１      掛止片
３４      記名条片
４３      Ｌ型金具
５０      コイルスプリング
５１      端子板
５２      ねじ孔
５３      通孔
５５      端子ねじ
【図１】
0003580784.tif 000002
【図２】
0003580784.tif 000003
【図３】
0003580784.tif 000004
【図４】
0003580784.tif 000005
【図５】
0003580784.tif 000006
【図６】
0003580784.tif 000007
【図７】
0003580784.tif 000008
【図８】
0003580784.tif 000009
【図９】
0003580784.tif 000010
【図１０】
0003580784.tif 000011